(57)【要約】【課題】  ランチボックス等に用いられる食品用容器に簡単な構成で、食品用容器を保持する手を固定することができ、これにより手から食品用容器が不意に滑り落ちるのを防止する食品用容器を提供することにある【解決手段】  上蓋と容器本体を有する食品用容器であって、容器本体は、一側面から対向する他側面に向けて掛け渡される少なくとも１のバンドを具備し、バンドの両端は容器本体の側面に固定され、使用者はバンドと容器本体の底面の間に手を差し込んで食品用容器を保持することによる。【選択図】  図２
0003115545.tif 000002
【実用新案登録請求の範囲】
【請求項１】
上蓋と容器本体を有する食品用容器であって、前記容器本体は、一側面から対向する他側面に向けて掛け渡される少なくとも１のバンドを具備し、前記バンドの両端は、前記容器本体の側面に固定されることを特徴とする食品用容器。
【請求項２】
前記容器本体の一側面及び／又は対向する他側面には、前記バンドの端部を着脱可能に掛着する装着部を有し、前記バンドの両端の少なくとも一端は、前記装着部に掛着されることを特徴とする請求項１記載の食品用容器。
【請求項３】
上蓋と容器本体を有する食品用容器であって、前記食品用容器は、前記容器本体の開口部近傍に着脱可能に周設される環状帯と、前記食品用容器の一側面から対向する他側面に向けて掛け渡される少なくとも１のバンドとを有し、前記環状帯は、前記バンドの端部を固定することを特徴とする食品用容器。
【請求項４】
前記環状帯の一側面及び／又は対向する他側面には、前記又はバンドの端部を着脱可能に掛着する装着部を有し、前記バンドの両端の少なくとも一端は、前記装着部に掛着されることを特徴とする請求項３記載の食品用容器。 
【考案の詳細な説明】
【技術分野】
【０００１】
本考案は食品用容器を片手で保持して使用する際に手から食品用容器が滑り落ちるのを防止し、使用者に食品用容器の落下に対する不安を与えない食品用容器に関する。
【０００２】
一般に、食品を収容する食品用容器は、その利便性を高める目的で様々な改良が加えられており、紐状のバンドや紐を用いた食品用容器に関する発明又は考案がいくつか開示されている。
また、従来、特に手の小さい子供や手の不自由な方が片手で食品用容器を保持しながら食事をする場合に、誤ってランチボックスを落としてしまう恐れがあり、手の小さな人や手が不自由な方も安心して食品用容器を片手で保持することができる食品用容器が望まれていた。
【０００３】
以下、図５を参照しながら従来技術にかかる紐状バンドを利用した食品用容器に関する発明を説明する。
図５は、従来技術にかかる茶碗入りの押弁当の外形図である。
図５に示すように先行技術文献１の茶碗入り押弁当１００は、陶磁性の茶碗１０１に食品を収容し、その上に、収容凹部１０２ａを有する被せ蓋１０２を被せ、この収容凹部１０２ａに、香味・調味料等の密封調味量１０６や密封手拭き１０７を収容できるよう構成され、また、この収容凹部１０２ａは被せ蓋１０２の下面側に突出して押圧部１０２ｂとしても作用するので、茶碗１０１に収容した飯類の上部に具種材を載せ、この具種材を上面から被せ蓋１０２の押圧部１０２ｂで押圧することで、具種材を飯類に押し付けて、具種材の旨味を適度に飯類にしみこませることができるよう構成されている。
さらに、押圧部１０２ｂによる押圧の効果を一層高めるため、茶碗入り押弁当１００は、巻き帯１０３を茶碗１０１と被せ蓋１０２の外周に周設し、この巻き帯１０３の上面側に手許箸１０４を載置して、引締めバンド１０５を茶碗１０１の底面側において巻き帯１０３と直交するように配しながら手許箸１０４の両端部１０４ａ，１０４ａに掛着し、手許箸１０４の端部１０４ａ，１０４ａが引締めバンド１０５の弾性力で茶碗１０１の底面側に引き下げられることで、手許箸１０４の基幹部１０４ｂで被せ蓋１０２を上面側から押圧している。
なお、巻き帯１０３の茶碗１０１底部近傍には、掛止ノッチ１０８が設けられ、掛止ノッチ１０８に引締めバンド１０５係止することで引締めバンド１０５のズレや外れを防止している。
上記構成の特許文献１に係る発明によれば、茶碗１０１の被せ蓋１０２が引締めバンド１０５の弾性力により常に押し下げられるため、被せ蓋１０２が不意に外れる心配がなく衛生的な弁当を提供することができる。また、茶碗１０１に収容された飯類に具種材を押し付けることができるので、押鮨風の弁当等に適する。
【０００４】
また、特許文献２には「バンド」という名称で、弁当箱や本等の様々なものに周設して使用する帯状のバンドに関する考案が開示されている。
特許文献２にかかる考案は、帯状の伸縮性を有するバンドと、そのバンドの一端に固定して取り付けられている長さ調節用留め具とから構成されるものである。そして、例えば、弁当箱の周囲に周設することで、弁当箱の容器本体から蓋が外れるのを確実に防止することができ、かつ帯状のバンドに精緻な模様を織り込むことで「バンド」自体の審美性も高いものにすることができる。
さらに、長さ調節用留め具により帯状のバンドの長さを自在に調整することができるので、長さを調整することで大きさの異なる弁当箱にも周設することが可能となり、「バンド」汎用性が高まる。
【０００５】
【特許文献１】特開２００２−２８０１号公報
【特許文献２】実開平７−１６６０９号公報
【考案の開示】
【考案が解決しようとする課題】
【０００６】
しかしながら、上述の特許文献１に開示された発明においては、茶碗入り押弁当１００を開封するまでの間、茶碗１０１に収容された飯類と具種類を被せ蓋１０２の上側から例えばゴム製の引締めバンド１０５で確実に押圧することができるものの、茶碗入り押弁当１００の開封後に、例えば、手の小さい子どもや手の不自由な方が片手で安心して茶碗１０１を保持できるように、引締めバンド１０５を茶碗１０１のどこかに掛着して、引締めバンド１０５の弾性力で手を固定しようとしても、茶碗１０１は適当な掛着部を備えていないため引締めバンド１０５をこのような目的で利用することは困難であった。
【０００７】
また、特許文献２に開示された考案においても同様に、手の小さい子どもや手の不自由な方が片手で安心して弁当箱を保持できるよう「バンド」を利用しようとすると、たとえば、「バンド」を弁当箱の側面に周設することができる。
しかしながら、通常、弁当箱を保持する場合、使用者は弁当箱の開口付近に親指を添え、残りの指を弁当箱の底面に添えて弁当箱を保持するため、弁当箱の側面に手のひらの一部を接触させることは少ない。このため、手のひらの一部を弁当箱の側面に接触させるように「バンド」を配置するとかえって弁当箱が持ちづらくなってしまうという課題があった。
【課題を解決するための手段】
【０００８】
本考案は係る従来の事情に対処してなされたものであり、ランチボックス等に用いられる食品用容器に簡単な構成で、食品用容器を保持する手を固定することができ、これにより手から食品用容器が不意に滑り落ちるのを防止する食品用容器を提供することにある。
【０００９】
上記目的を達成するため、請求項１記載の考案である食品用容器は、上蓋と容器本体を有する食品用容器であって、容器本体は、一側面から対向する他側面に向けて掛け渡される少なくとも１のバンドを具備し、バンドの両端は、容器本体の側面に固定されることを特徴とするものである。
上記構成の食品用容器は、食品用容器の底面側において、食品用容器とバンドの隙間に使用者が手のひらを挿入した際に、バンドは使用者の手を食品用容器の底面側に向って押圧するという作用を有する。
【００１０】
また、請求項２に記載の考案である食品用容器は、請求項１記載の食品用容器であって、容器本体の一側面及び／又は対向する他側面には、バンドの端部を着脱可能に掛着する装着部を有し、バンドの両端の少なくとも一端は、装着部に掛着されることを特徴とするものである。
上記構成の食品用容器においては、請求項１に記載の考案のバンドと同じ作用に加え、装着部はバンドの両端の少なくとも一方を装着部に着脱させるという作用を有する。
【００１１】
さらに、請求項３に記載の考案である食品用容器は、上蓋と容器本体を有する食品用容器であって、食品用容器は、容器本体の開口部近傍に着脱可能に周設される環状帯と、食品用容器の一側面から対向する他側面に向けて掛け渡される少なくとも１のバンドとを有し、環状帯は、バンドの端部を固定することを特徴とするものである。
上記構成の食品用容器において、環状帯は食品用容器にバンドを着脱可能に装着させるという作用を有する。この結果、上記構成の食品用容器は、請求項１に記載の考案と同じ作用を有する。
【００１２】
また、請求項４に記載の考案である食品用容器は、請求項３記載の食品用容器であって、環状帯の一側面及び／又は対向する他側面には、バンドの端部を着脱可能に掛着する装着部を有し、バンドの両端の少なくとも一端は、装着部に掛着されることを特徴とするものである。
上記構成の食品用容器は、請求項３に記載の考案の作用に加え、環状帯に設けられる装着部は、バンドの端部の少なくとも１方を着脱させるという作用を有する。
【考案の効果】
【００１３】
以上説明したように、請求項１に記載の食品用容器においては、食品用容器の底面側に配置されたバンドと食品用容器の底面との隙間に使用者が手を挿入することで、食品用容器は使用者の手の平側に安定した状態で保持される。また、使用者が手の指先のみで食品用容器の底面を保持する場合であっても食品用容器を安定した状態で保持することができる。従って、食品用容器を傾けた場合でも、使用者の手から食品用容器が滑って落下する恐れがなく、手の小さい子どもや手の不自由な方でも安心して食事を楽しむことができる。
【００１４】
また、請求項２に記載の食品用容器は、請求項１に記載の考案と同じ効果を発揮し、さらに、装着部を有することで、使用者は所望の位置にバンドを掛け渡すことができる。このため、たとえば、左利きの人にとっても食品用容器を保持し易い位置にバンドを掛け渡すことができ、食品用容器の汎用性が高まる。
【００１５】
さらに、請求項３に記載の食品用容器においては、請求項１に記載の考案と同じ効果を有し、バンドは食品用容器に周設される環状帯に固定されるため、この環状帯を食品用容器に周設することで、はじめてバンドが装着される。したがって、バンドの不使用時に環状帯を取り外すことで、バンドを取外すことができ、この結果、食品用容器を通常の食品用容器として使用することが可能になるので食品用容器の汎用性が高まる。
【００１６】
最後に、請求項４に記載の食品用容器は、請求項２に記載の考案にかかる装着部と、請求項３に記載の考案に係る環状体の効果を併せた効果を発揮するものである。すなわち、請求項４に記載の食品用容器は、バンドの不使用時に環状帯を取り外すことで、バンドを装着させる装着部も食品用容器から取外すことができ、バンドを備えない食品用容器としても使用することができる。また、装着部を備えることでバンドを装着して使用する場合には、使用者は所望の位置にバンドを装着できるので、食品用容器の汎用性が一層高まる。
【考案を実施するための最良の形態】
【００１７】
以下に、本考案の第１の実施の形態に係る食品用容器を図１及び図２を参照しながら説明する。（特に、請求項１及び請求項２に対応）
図１は本考案の第１の実施の形態に係る食品用容器の概念図である。
図１に示すように、食品用容器１ａは、主に、食品を収容する食品用容器本体２と、この食品用容器本体２の底面側に掛け渡されるバンド３ａ及び、食品用容器本体２の開口２ａに覆設される蓋７により構成され、食品用容器本体２の左右側面にはバンド３ａの掛着による装着を可能にする突起６が設けられている。
また、バンド３ａを構成するバンド本体４の両端部５，５はループ５ａ，５ａを具備し、食品用容器本体２の側面に設けられる突起６にループ５ａ，５ａを掛着することで、バンド３ａを食品用容器本体２の底面側に配置しながら掛け渡すことができる。
なお、バンド３ａに替えて図１に示すような、バンド３ｂを用いてもよい。バンド３ｂは、バンド本体４の端部５に、複数の孔１３がバンド本体４の長さ方向に連なった状態で穿設される長さ調整部１３ａが形成され、これらの孔１３から１つの孔１３を選択して突起６に掛着することでバンド３ｂを装着できるよう構成されている。このようなバンド３ｂによれば、バンド３ｂの長さの調節が容易である。
また、必ずしもバンド３ａの両端を掛着可能に構成する必要はなく、例えば、バンド３ａの片方の端部５のみを掛着可能に構成し、他端部５は食品用容器本体２の側面予め固設してもよい。あるいは、バンド３ａの両端部５，５を所望の位置にはじめから固設しても良い。
また、図１に示すようにバンド３ａは食品用容器本体２の底面において略対角方向に掛け渡されているが、図１において突起６ｂに掛着されるバンド３ａの端部５ａを突起６ａ掛着して、図中の符号Ｃで示す方向（奥行き方向）と平行にバンド３ａを掛け渡してもよく、突起６の設置位置を変えたり、或いは設置する数を増やして使用者が使いやすい位置にバンド３ａを掛け渡せるよう構成してもよい。このような場合にも対応可能なように、バンド本体４はゴムなどの伸縮自在の材料を用いたり、あるいは複数の長さを備えたものを付属させてもよい。以下の実施の形態においても同様である。
さらに、食品用容器本体２の底面部には凸部１１が設けられており、食品用容器本体２の底面部が僅かに設置面から浮くように構成されている。このように、食品用容器本体２の底面に凸部１１を備えることで、例えばテーブルなどの平面上に食品用容器本体２置く際に、バンド３ａが邪魔にならず、食品用容器１ａをバランス良く静置させることができる。
なお、食品用容器本体２の底面に凸部１１を備えるかわりに、食品用容器本体２の底面部を収容部１４側に向かって盛り上げるように成形してもよい。すなわち食品用容器本体２の底面部の断面が、上下を反転させた略Ｍ字形を成すよう構成してもよい。このように成形した、食品用容器本体２を底面側から見ると、底面部が凹んでいるのであるが、この凹状部分にバンド３ａを掛け渡すことでバンド３ａが凹状部分に収容され、例えばテーブルなどの平面上に食品用容器１ａを載置する場合にバランス良く静置させることができる。
【００１８】
次に、図２を参照しながら食品用容器１ａの使用方法を説明する。
図２は本考案の第１の実施の形態に係る食品用容器の使用状態図である。なお、図１に記載されたものと同一部分については同一符号を付し、その構成についての説明は省略する。
図２に示すように、食品用容器１ａは食品用容器本体２の底面とバンド３ａの間に使用者が手８を挿入して使用する。
このとき、食品用容器本体２を支持する使用者の手８は、バンド３ａのバンド本体４により食品用容器本体２の底面に向って押圧され、この作用により使用者の手８は食品用容器本体２の底面に固定されるので、食品用容器本体２を傾けても食品用容器本体２が手の平から滑り落ちる心配がない。また、使用者が意識しなくとも食品用容器を片手で保持する際には、食品用容器を落とさないよう注意を払っているものであるが、本実施の形態に係る食品用容器１ａを用いることによれば、誤って食品用容器１ａを落としてしまう心配が全くない。従って、使用者は安心して食事を楽しむことができる。
また、図２は食品用容器本体２の開口２ａに、使用者が親指１２を添えて食品用容器本体２を保持する場合を例に挙げて図示したものであるが、必ずしもこのように食品用容器本体２を保持する必要はなく、例えば、使用者の手の平の全面を食品用容器本体２の底面に添えて食品用容器本体２を保持してもよく、このような方法によれば握力の弱い子供や、手の不自由な方でも食品用容器本体２を安心して保持することができ、楽しく食事をすることができる。
【００１９】
続いて、本考案の第２の実施の形態に係る食品用容器を図３を参照しながら説明する。（特に、請求項１及び請求項２に対応）
図３は本考案の第２の実施の形態に係る食品用容器の概念図である。なお、図１及び図２に記載されたものと同一部分については同一符号を付し、その構成についての説明は省略する。
本考案の第２の実施の形態に係る食品用容器１ｂは、本考案の第１の実施の形態に係る食品用容器１ａと同じ効果を有するものであるが、食品用容器本体２は２本のバンド３ａ1，３ａ2を備えたものである。
図３に示すように、食品用容器１ｂには、食品用容器本体２の底面において略対角方向に掛け渡されるバンド３ａ1と交差するように、別のバンド３ａ2が着脱可能に装着されており、これら２本のバンド３ａ1，３ａ2の交差部９と食品用容器本体２の底面の間に使用者の手を挿入して使用するものである。
上記構成の食品用容器１ｂによれば、上記第1の実施の形態に係る食品用容器１ａに比べて、食品用容器本体２の底面に作業者の手を固定する作用が強まり、食品用容器本体２の滑り落ち防止効果を一層高めることができる。従って、握力がほとんどない方でも食品用容器本体２を安心して保持することができる。
また、図３に示すように、２本のバンド３ａ1，３ａ2は必ずしも交差させて装着する必要はなく、２本のバンド３ａ1，３ａ2を平行に並べて食品用容器本体２に装着しても良い。
【００２０】
最後に、本考案の第３の実施の形態に係る食品用容器を図４を参照しながら説明する。（特に、請求項３及び請求項４に対応）
図４は本考案の第３の実施の形態に係る食品用容器の概念図である。なお、図１乃至図３に記載されたものと同一部分については同一符号を付し、その構成についての説明は省略する。また、本実施の形態に係る考案の特徴が理解されやすいよう、本考案に係る要部を実線で示し、その他の部分は点線で示した。
本考案の第３の実施の形態に係る食品用容器１ｃも本考案の第１の実施の形態に係る食品用容器１ａと同じ効果を有するものであるが、第１の実施の形態に
係る食品用容器１ａにおいて、バンド３ａが食品用容器本体２に直接装着されるのに対し、第３の実施の形態に係る食品用容器１ｃは、バンド３ａが環状帯１０に装着され、この結果、食品用容器本体２に間接的にバンド３ａが装着される点が異なる。
図４中において、点線で示す食品用容器本体２の開口２ａ近傍には、環状帯１０が着脱可能に周設され、この環状帯１０の外周面にはバンド３ａを装着するための突起６が複数設けられている。そして、この複数の突起６にバンド３ａの端部５，５に設けられるループ５ａを掛着することでバンド３ａの装着が可能になっている。
【００２１】
上記構成の食品用容器１ｃは、間接的にバンド３ａを装着できるので、環状帯１０を取外す際に、環状帯１０ごと突起６をも取外すことができ、バンド３を用いずに食品用容器１ｃを使用する場合は、突起６が食品用容器１ｃの使用の妨げになる心配がなく、食品用容器１ｃの汎用性を高めることができる。
また環状帯１０は、図４中の符号Ａ又はＢで示す方向に押し回すことができるので、環状帯１０上に突設される突起６を所望の位置に移動することができ、バンド３ａを使用者の所望の位置に掛け渡すことができる。
なお、本実施の形態においては環状帯１０に１本のバンド３ａを装着した場合を例に挙げて説明したが、環状帯１０に装着するバンド３ａは上述の第２の実施の形態に係る食品用容器１ｂの場合のように２本でもよい。
さらに、本実施の形態においては、環状帯１０の４箇所に突起６を設けているが、たとえば環状帯１０の外周面に等間隔おきに４箇所より多数の突起６を設けても良い。このように、複数の突起６から所望の突起を選んで、使用者が所望の位置にバンド３ａを装着することができれば食品用容器１ｃの使い易さが一層向上する。
他方、バンド３ａの両端部５，５の両方、或いは、片方は環状帯１０に固設しても良い。
【００２２】
このように、本考案の第１乃至第３実施の形態に係る食品用容器１ａ乃至１ｃによれば、使用時に使用者の手から食品用容器１ａ乃至１ｃが滑り落ちる心配がなく安心して食事を楽しむことができ、また、手の不自由な方の機能回復のトレーニングのための道具とすることもできる。
なお、本考案の第１乃至第３実施の形態に係る食品用容器１ａ乃至１ｃにおいてはバンド３ａの装着は、端部５，５に設けられるループ５ａを食品用容器本体２の側面又は環状帯１０に設けられる突起６に掛着するとしたが、バンド３ａの装着方法は必ずしもこの方法で行う必要はなく、たとえば嵌合部材をバンド３ａと食品用容器本体２、或は、バンド３ａと環状帯１０に設け、この嵌合部材の嵌合によりバンド３ａを着脱可能としてもよい。すなわち、食品用容器本体２又は環状帯１０へのバンド３ａの装着が可能で、バンド３ａと食品用容器本体２の底面の間に使用者が手を挿入した場合に、装着部からバンド３ａが容易に外れないよう構成されるものであればその形態は問題としない。
また、バンド３ａを構成するバンド本体４は、前述のとおり伸縮性を有する弾性素材で構成することが好ましく、或は、バンド本体４を伸縮性の乏しい素材を使用する場合は、バンド３ａの長さを調整できるように、たとえば、バンド３ａを２本のバンド本体４により構成し、一方のバンド本体４に小型のバックル状の金具を取り付けたり、又は、リング状の金具を２つ重ねてバンド本体４に取り付けても良い。もしくは、２本で構成されるバンド本体４の片方に、略日の字形のバンド長さ調節用金具を備えても良い。この他にも、バンドの長さの調整が可能で、使用時にバンドが外れたり緩んだりしないよう構成されるものであればその形態は問題としない。
【産業上の利用可能性】
【００２３】
本考案に係る食品用容器は、食品用容器を片手で保持しながら食事をする場合に、手から食品用容器が滑り落ちるのを防止することができる食品用容器であり、介護用品やリハビリ用器具に関する分野において利用の可能性が高い。
【図面の簡単な説明】
【００２４】
【図１】本考案の第１の実施の形態に係る食品用容器の概念図である。
【図２】本考案の第１の実施の形態に係る食品用容器の使用状態図である。
【図３】本考案の第２の実施の形態に係る食品用容器の概念図である。
【図４】本考案の第３の実施の形態に係る食品用容器の概念図である。
【図５】従来技術にかかる茶碗入りの押弁当の外形図である。
【００２５】
１ａ〜１ｃ…食品用容器  ２…食品用容器本体  ２ａ…開口  ３ａ，３ａ1，３ａ2,３ｂ…バンド  ４…バンド本体  ５…端部  ５ａ，５ａ1，５ａ2…ループ  ６，６ａ，６ｂ…突起  ７…蓋  ８…手  ９…交差部  １０…環状帯  １１…凸部  １２…親指  １３…孔  １３ａ…長さ調整部  １４…収容部  １００…茶碗入り押弁当  １０１…茶碗  １０２…被せ蓋  １０２ａ…収容凹部  １０２ｂ…押圧部  １０３…巻き帯  １０４…手許箸  １０４ａ…端部  １０４ｂ…基幹部  １０５…引締バンド  １０６…密封調味料  １０７…密封手拭き  １０８…掛止ノッチ  １０９…保護フィルム
【図１】
0003115545.tif 000003
【図２】
0003115545.tif 000004
【図３】
0003115545.tif 000005
【図４】
0003115545.tif 000006
【図５】
0003115545.tif 000007